(57)【要約】【課題】内視鏡の可撓管に巻き付けられた緊縛糸を被覆する接着剤が滅菌装置内で損傷するおそれがなく、オートクレーブ滅菌等を行っても緊縛糸のほつれや緩みに起因する可撓管の水漏れ故障が発生しない内視鏡滅菌用トレイを提供すること。【解決手段】可撓管１の外周に巻き付けられた緊縛糸の外面に接着剤７が被覆された構成を有する内視鏡を滅菌装置に格納する際に載置するための内視鏡滅菌用トレイであって、内視鏡の可撓管１が緩く嵌め込まれる可撓管収容溝１１が設けられたものにおいて、可撓管１を可撓管収容溝１１の溝壁に触れないように保持するための可撓管保持突起１６，１７が、可撓管収容溝１１の溝壁から溝内に向かって、緊縛糸の外面に被覆された接着剤７に触れない位置のみに突出形成されている。【選択図】      図１
2008126007.tif 000002
【特許請求の範囲】
【請求項１】
可撓管の外周に巻き付けられた緊縛糸の外面に接着剤が被覆された構成を有する内視鏡を滅菌装置に格納する際に載置するための内視鏡滅菌用トレイであって、上記内視鏡の可撓管が緩く嵌め込まれる可撓管収容溝が設けられたものにおいて、
上記可撓管を上記可撓管収容溝の溝壁に触れないように保持するための可撓管保持突起が、上記可撓管収容溝の溝壁から溝内に向かって、上記緊縛糸の外面に被覆された接着剤に触れない位置のみに突出形成されていることを特徴とする内視鏡滅菌用トレイ。
【請求項２】
上記可撓管保持突起が、上記可撓管収容溝の底面と側面から突出形成されている請求項１記載の内視鏡滅菌用トレイ。
【請求項３】
上記可撓管保持突起が、上記可撓管の表面に線状に接触するリブ状又は点状に接触するロッド状に形成されている請求項１又は２記載の内視鏡滅菌用トレイ。
【請求項４】
上記可撓管保持突起の突端がアール面状に形成されている請求項１、２又は３記載の内視鏡滅菌用トレイ。
【請求項５】
上記可撓管保持突起が上記内視鏡滅菌用トレイ全体と一体成形されている請求項１、２、３又は４記載の内視鏡滅菌用トレイ。
【請求項６】
上記緊縛糸が、遠隔操作によって屈曲するように上記内視鏡の挿入部可撓管の先端近傍に形成された湾曲部を外装する湾曲ゴムチューブの端部を固定するためのものである請求項１、２、３、４又は５記載の内視鏡滅菌用トレイ。
【発明の詳細な説明】
【技術分野】
【０００１】
この発明は、内視鏡を滅菌装置に格納する際に載置するための内視鏡滅菌用トレイに関する。
【背景技術】
【０００２】
内視鏡滅菌用トレイには一般に、内視鏡の可撓管が滅菌装置内で安定した形状を保つように、可撓管が緩く嵌め込まれる可撓管収容溝が設けられている（例えば、特許文献１）。
【特許文献１】特開２００２−１７８２４
【発明の開示】
【発明が解決しようとする課題】
【０００３】
内視鏡の挿入部可撓管の先端近傍には、手元側からの遠隔操作によって任意の方向に任意の角度だけ屈曲させることができる湾曲部が形成され、その部分は柔軟な湾曲ゴムチューブで外装されている。
【０００４】
そのような湾曲ゴムチューブの端部においては、一般に、緊縛糸がきつく巻き付けられて湾曲ゴムチューブを緊縛固定しており、緊縛糸がほつれたり緩んだりしないように、緊縛糸の外面には接着剤が塗布されて硬化した状態に被覆されている。
【０００５】
しかし、緊縛糸を被覆する接着剤がオートクレーブ滅菌装置内等のように高温高圧の環境下で擦られると、接着剤の表面に傷が付いて割れが発生し、その結果、緊縛糸のほつれや緩みを防止することができなくなって、可撓管内に水や蒸気等が浸入するいわゆる水漏れ故障の原因になる場合があった。
【０００６】
本発明は、内視鏡の可撓管に巻き付けられた緊縛糸を被覆する接着剤が滅菌装置内で損傷するおそれがなく、オートクレーブ滅菌等を行っても緊縛糸のほつれや緩みに起因する可撓管の水漏れ故障が発生しない内視鏡滅菌用トレイを提供することを目的とする。
【課題を解決するための手段】
【０００７】
上記の目的を達成するため、本発明の内視鏡滅菌用トレイは、可撓管の外周に巻き付けられた緊縛糸の外面に接着剤が被覆された構成を有する内視鏡を滅菌装置に格納する際に載置するための内視鏡滅菌用トレイであって、内視鏡の可撓管が緩く嵌め込まれる可撓管収容溝が設けられたものにおいて、可撓管を可撓管収容溝の溝壁に触れないように保持するための可撓管保持突起が、可撓管収容溝の溝壁から溝内に向かって、緊縛糸の外面に被覆された接着剤に触れない位置のみに突出形成されているものである。
【０００８】
なお、可撓管保持突起が、可撓管収容溝の底面と側面から突出形成されていてもよく、そのような可撓管保持突起が、可撓管の表面に線状に接触するリブ状又は点状に接触するロッド状に形成されていてもよい。また、可撓管保持突起の突端がアール面状に形成されていてもよく、可撓管保持突起が内視鏡滅菌用トレイ全体と一体成形されていてもよい。
【０００９】
なお、緊縛糸が、遠隔操作によって屈曲するように内視鏡の挿入部可撓管の先端近傍に形成された湾曲部を外装する湾曲ゴムチューブの端部を固定するためのものであってもよい。
【発明の効果】
【００１０】
本発明によれば、可撓管を可撓管収容溝の溝壁に触れないように保持するための可撓管保持突起が、可撓管収容溝の溝壁から溝内に向かって、可撓管側の緊縛糸の外面に被覆された接着剤に触れない位置のみに突出形成されているので、緊縛糸を被覆する接着剤が滅菌装置内で損傷するおそれがなく、オートクレーブ滅菌等を行っても緊縛糸のほつれや緩みに起因する可撓管の水漏れ故障が発生しない。
【発明を実施するための最良の形態】
【００１１】
可撓管の外周に巻き付けられた緊縛糸の外面に接着剤が被覆された構成を有する内視鏡を滅菌装置に格納する際に載置するための内視鏡滅菌用トレイであって、内視鏡の可撓管が緩く嵌め込まれる可撓管収容溝が設けられたものにおいて、可撓管を可撓管収容溝の溝壁に触れないように保持するための可撓管保持突起が、可撓管収容溝の溝壁から溝内に向かって、緊縛糸の外面に被覆された接着剤に触れない位置のみに突出形成されている。
【実施例】
【００１２】
以下、図面を参照して本発明の実施例を説明する。
図４は、内視鏡がトレイ１０に載置された状態の平面図である。
内視鏡は、挿入部可撓管１の先端近傍に形成された湾曲部１ａを、挿入部可撓管１の基端に連結された操作部３からの遠隔操作で、任意の方向に任意の角度だけ屈曲させることができるように構成されている。
【００１３】
なお本発明において、湾曲部１ａは挿入部可撓管１の一部であって挿入部可撓管１に含まれる概念であり、大きな抵抗なく屈曲させることができるように柔軟な湾曲ゴムチューブで外装されている。
【００１４】
湾曲部１ａの先端には、観察窓等が配置された先端部本体４が連結され、操作部３から延出する接続可撓管５の端部には、図示されていない光源装置に接続されるコネクタ部６が連結されている。
【００１５】
トレイ１０には、内視鏡の挿入部可撓管１が緩く嵌め込まれる可撓管収容溝１１の他、操作部３、接続可撓管５及びコネクタ部６が収容される操作部収容溝１２、接続可撓管収容溝１３及びコネクタ収容溝１４が連続して形成されている。なお図４においては、トレイ１０の表面平坦面１０ａに斜線を付して見易くしてある。
【００１６】
図１は、挿入部可撓管１の先端付近が可撓管収容溝１１内に緩く嵌め込まれた部分の平面図、図２はそのII−II断面図、図３はIII−III断面図である。内視鏡の湾曲部１ａを外装する湾曲部ゴムチューブの前後両端部は緊縛糸がきつく巻き付けられることにより固定され、その緊縛糸がほつれたり緩んだりしないように、緊縛糸の外面は、塗布されて硬化した接着剤７で被覆されている。接着剤７としては、例えばエポキシ系接着剤等が用いられている。
【００１７】
可撓管収容溝１１内には、挿入部可撓管１を可撓管収容溝１１の溝壁に直接触れないように保持するための可撓管保持突起１６，１７が、溝壁から溝内に向かって突出形成されている。
【００１８】
可撓管保持突起１６，１７には、可撓管収容溝１１の底面から突出形成された突起１６と側面から突出形成された突起１７とがあり、その何れもが、挿入部可撓管１の接着剤７に触れない位置に配置されている。
【００１９】
なお、挿入部可撓管１が可撓管収容溝１１内に収容された時には、その時々の位置ズレや内視鏡個体毎の若干の寸法の相違等によって、可撓管収容溝１１内における接着剤７の位置にバラツキが生じる。
【００２０】
そこで、全ての可撓管保持突起１６，１７は、可撓管収容溝１１内での接着剤７の基準位置（設計上の位置）から例えば少なくとも１ｃｍ程度離れるように配置されると共に、可撓管収容溝１１内で先端部本体４等が大きく振らついてはいけないので、接着剤７の基準位置から例えば５ｃｍ程度以上は離れていない位置に配置されている。
【００２１】
各可撓管保持突起１６，１７は、挿入部可撓管１の表面に線状に接触するリブ状に形成されている。そのうちの可撓管収容溝１１の底面から突出形成された突起１６は可撓管収容溝１１の長手方向に沿って形成され、可撓管収容溝１１の側面から突出形成された突起１７は可撓管収容溝１１の半周方向に沿って形成されている。ただし、可撓管保持突起１６，１７が挿入部可撓管１の表面に点状に接触するロッド状等に形成されていてもよい。
【００２２】
また、各可撓管保持突起１６，１７は突端がアール面状に形成されて、そこに触れる相手部材に傷等が付かないようになっている。なお、全ての可撓管保持突起１６，１７は、可撓管収容溝１１等と共にトレイ１０全体と一体成形されており、可撓管保持突起１６，１７を形成するための製造コストはほとんどかからない。
【００２３】
このように構成された実施例の内視鏡滅菌用トレイにおいては、内視鏡をトレイ１０に載置したとき、挿入部可撓管１が可撓管収容溝１１内において可撓管保持突起１６，１７で保持されて可撓管収容溝１１の溝壁に直接触れないので、滅菌ガスに触れる挿入部可撓管１の表面積が広くて優れた滅菌能を得ることができる。
【００２４】
そして、可撓管保持突起１６，１７が、湾曲部１ａの端部に巻き付けられた緊縛糸を被覆する接着剤７に触れないので接着剤７が損傷せず、接着剤７の内側に位置する緊縛糸のほつれや緩みに起因する挿入部可撓管１の水漏れ故障が発生しない。
【００２５】
なお、本発明は上記実施例に限定されるものではなく、内視鏡の湾曲部１ａに限らず、可撓管の外周に緊縛糸が巻き付けられてその外面に接着剤が被覆された部分が内視鏡にあれば、その部分の接着剤に可撓管保持突起１６，１７が触れないように構成することが本発明の範囲に含まれるものである。
【図面の簡単な説明】
【００２６】
【図１】本発明の実施例の可撓管収容溝に内視鏡の挿入部可撓管が嵌め込まれた状態の平面図である。
【図２】本発明の実施例の図１におけるII−II断面図である。
【図３】本発明の実施例の図１におけるIII−III断面図である。
【図４】本発明の実施例のトレイに内視鏡が載置された状態の平面図である。
【符号の説明】
【００２７】
１  挿入部可撓管
１ａ  湾曲部
７  接着剤
１０  トレイ
１１  可撓管収容溝
１６，１７  可撓管保持突起
【図１】
2008126007.tif 000003
【図２】
2008126007.tif 000004
【図３】
2008126007.tif 000005
【図４】
2008126007.tif 000006